(57)【要約】【課題】当該酸素濃度表示の脱酸素剤の使用によって、メーカーまたは消費者は直ちに当該脱酸素剤による鮮度保持の効果を識別確認できる、製造工程が簡易な酸素濃度表示付きの脱酸素剤を提供する。【解決手段】脱酸素物質（1）が包装袋（2）の中に入っていて、包装袋（2）には、変色信号物質で作られた酸素濃度表示剤のマークがあり、酸素濃度表示剤の箇所に確認窓（4）が設けられているため酸素濃度を直接識別確認できる。【選択図】  図６
0003122894.tif 000002
【実用新案登録請求の範囲】
【請求項１】
脱酸素物質（1）、包装袋（2）を含み、脱酸素物質（1）が包装袋（2）の中に入っていて、包装袋（2）には、変色信号物質で作られた酸素濃度表示剤のマークがあり、酸素濃度表示剤の箇所に確認窓（4）を設けていることを特徴とする酸素濃度表示付きの脱酸素剤。
【請求項２】
前記した酸素濃度表示剤のマークが、包装袋(2)に固定されている酸素濃度表示層（3）であることを特徴とする請求項１に記載の酸素濃度表示付きの脱酸素剤。
【請求項３】
前記した酸素濃度表示剤のマークについて、包装袋（2）の正面フィルム（2−1）と後面フィルム（2−2）との間に酸素濃度表示線（5）が設けられていることを特徴とする請求項１に記載の酸素濃度表示付きの脱酸素剤。
【請求項４】
前記した酸素濃度表示剤のマークについて、包装袋（2）の縦シールの真ん中に、変色信号物質で作られた酸素濃度表示線（5）が設けられていることを特徴とする請求項１に記載の酸素濃度表示付きの脱酸素剤。
【請求項５】
前記した包装袋（2）はインナーフィルム（6）とアウターフィルム（7）で構成され、インナーフィルム（6）とアウターフィルム（7）に交錯に分布されている通気微孔（61、71）が設けられていることを特徴とする請求項１に記載の酸素濃度表示付きの脱酸素剤。
【請求項６】
前記した確認窓（4）は連続透明なライン状、点線状、円形又は帯状矩形であることを特徴とする請求項１に記載の酸素濃度表示付きの脱酸素剤。
【請求項７】
前記した酸素濃度表示層（3）は、変色信号物質で作られた酸素濃度表示剤に浸漬されたろ過紙であることを特徴とする請求項２に記載の酸素濃度表示付きの脱酸素剤。
【請求項８】
前記した酸素濃度表示層（3）は、変色信号物質で作られた酸素濃度表示剤を粘着した不織布または粘着テープであることを特徴とする請求項２に記載の酸素濃度表示付きの脱酸素剤。
【請求項９】
前記した酸素濃度表示線（5）は、変色信号物質で作られた酸素濃度表示剤を粘着した紗糸、綿糸、紙線または化繊ファイバーであることを特徴とする請求項３或は４に記載の酸素濃度表示付きの脱酸素剤。
【請求項１０】
前記したインナーフィルム（6）は、通気微孔が設けられた未延伸ポリプロピレン（CPP）またはポリエチレン（PE）であり、アウターフィルム（7）は、通気微孔が設けられたポリエステル（PET）/未延伸ポリプロピレン（CPP）またはポリエステル（PET）/ポリエチレン（PE）との複合フィルムであることを特徴とする請求項５に記載の酸素濃度表示付きの脱酸素剤。
【請求項１１】
前記したインナーフィルム（6）は、透気性の良い紙またはこの透気性の良い紙と通気微孔が設けられた未延伸ポリプロピレン（CPP）またはポリエチレン（PE）との複合フィルムであることを特徴とする請求項５に記載の酸素濃度表示付きの脱酸素剤。
【考案の詳細な説明】
【技術分野】
【０００１】
本考案は、脱酸素剤、特に酸素濃度表示付きの脱酸素剤に関するものである。
【背景技術】
【０００２】
周知のように、酸素は人間及びその他動物が生存するのに一番重要なものであり、酸素がないと、人間は死亡する。しかし、同時に、酸素は食品の腐敗、酸化または金属類のさびをもたらし、人類に大変有害な事象を引き起こす。たとえば、穀物及びそれに付着するカビや、ピーナツ・肉調理品及び油等の食品の腐敗、茶ポリフェノールやVCビタミンの酸化による劣化などは、すべて酸素によって起こされたものである。また、各種金属製品のサビ、ゴム製品の老朽化の原因も酸素にある。
こうした酸素の人類に対する危害を減少するため、我が国と日本などの国々は1960年代から脱酸素剤の研究開発を始めてきた。本出願者は、1963年より脱酸素剤及び酸素の除去による鮮度保持技術の研究に取り込み、相次いで「0」型酸素吸収剤、4H脱酸素剤、ビール用酸素鮮度保持剤、998高性能脱酸素剤、ビール鮮度保持カップ、香保持型肉製品専用脱酸素剤、板栗専用型脱酸素剤及び酸素吸収鮮度保持錠剤などの開発に成功し、中国特許第94242444.1号、第97247344.0号、第98227092.5号、第98227282.0号などの脱酸素剤の特許が登録された。我が国の改革と対外開放及び人民生活水準の向上に伴って、脱酸素による鮮度保持技術と脱酸素剤の応用範囲がますます広がってきてきた現状では、脱酸素剤は精米、茶葉、タバコ、月餅、菓子、鷹の瓜の種、ピーナツ、大棗、ソーセージ、ベーコンなどの数十種の食品と朝鮮人参などの医薬品の鮮度保持、並びにミサイル、砲丸など軍需品の保存などに幅広く使用されるようになった。脱酸素剤による食品の鮮度保持の仕組みは、食品の密封包装袋に密閉された酸素を迅速に除去することによって、包装袋内の酸素濃度を21％から0.1％以下にすることである。
しかしながら、従来の脱酸素剤では使用の過程において、食品の包装袋内の酸素濃度を直接識別確認できないため、包装資材の不具合または包装袋のシール不良などによる密封不良の品質問題、または封入された脱酸素剤の劣化による酸素吸収効果の不足などによって、包装袋内の酸素濃度が高くなり、物の腐敗・劣化がしばしば起こる。
【考案の開示】
【考案が解決しようとする課題】
【０００３】
本考案は、上記実情に鑑みてなされたもので、当該酸素濃度表示の脱酸素剤の使用によって、メーカーまたは消費者は直ちに脱酸素剤による鮮度保持の効果を識別確認できる酸素濃度表示付きの脱酸素剤を提供することを目的としてなされたものである。
【０００４】
また、本考案は、製造しやすい且つコストの安い酸素濃度表示付きの脱酸素剤を提供し、使用者が直ちに脱酸素剤による脱酸素後の酸素濃度を直接確認できることをもう一つの目的とする。
【０００５】
また、本考案は、脱酸素剤の成分が包装袋への漏れを防止でき、脱酸素効果が良く、製造工程の簡単な酸素濃度表示付きの脱酸素剤を提供することをもう一つの目的とする。
【課題を解決するための手段】
【０００６】
上記目的を達成するため、本考案の酸素濃度表示付きの脱酸素剤は、
脱酸素物質（1）、包装袋（2）を含み、脱酸素物質（1）が包装袋（2）の中に入っていて、包装袋（2）には、変色信号物質で作られた酸素濃度表示剤のマークがあり、酸素濃度表示剤の箇所に確認窓（4）を設けていることを特徴とする。
【０００７】
また、前記した酸素濃度表示剤のマークが、包装袋(2)に固定されている酸素濃度表示層であってもよい。
【０００８】
前記した酸素濃度表示剤のマークに、包装袋の正面フィルムと後面フィルムとの間に酸素濃度表示線が設けられていてもよい。
【０００９】
前記した酸素濃度表示剤のマークについて、包装袋の縦シールの真ん中に、変色信号物質で作られた酸素濃度表示線が設けられていてもよい。
【００１０】
前記した包装袋はインナーフィルムとアウターフィルムで構成され、インナーフィルムとアウターフィルムに交錯に分布されている通気微孔が設けられていてもよい。
【００１１】
前記した確認窓は連続透明なライン状、点線状、円形又は帯状矩形であってもよい。
【００１２】
前記した酸素濃度表示層は、変色信号物質で作られた酸素濃度表示剤を浸漬されたろ過紙であってもよい。
【００１３】
前記した酸素濃度表示層は、変色信号物質で作られた酸素濃度表示剤を粘着した不織布または粘着テープであってもよい。
【００１４】
前記した酸素濃度表示線は、変色信号物質で作られた酸素濃度表示剤を粘着した紗糸、綿糸、紙線または化繊ファイバーであってもよい。
【００１５】
前記したインナーフィルムは、通気微孔が設けられた未延伸ポリプロピレン（CPP）またはポリエチレン（PE）であり、アウターフィルムは、通気微孔が設けられたポリエステル（PET）/未延伸ポリプロピレン（CPP）またはポリエステル（PET）/ポリエチレン（PE）との複合フィルムであってもよい。
【００１６】
前記したインナーフィルムは、透気性の良い紙またはこの透気性の良い紙と通気微孔が設けられた未延伸ポリプロピレン（CPP）またはポリエチレン（PE）との複合フィルムであってもよい。
【考案の効果】
【００１７】
本考案は従来の技術に比べると、下記の点において、明らかなメリット及び効果がある。
【００１８】
1、脱酸素剤と酸素の濃度表示剤を一体にすることにより、脱酸素剤による鮮度保持対象物の信頼性と安全性を向上することができること。
【００１９】
2、脱酸素剤の脱酸素効果が随時正確に判断できるので、一目見てすぐ分かること。
【００２０】
3、消費者には、食品などの鮮度保持度合いを正確に確認できる手段が生まれ、安心して食品を消費することができること。
【００２１】
4、製造メーカーは包装袋の品質と包装袋の密封品質問題を直ちに発見でき、即時に脱酸素による鮮度保持物品特に食品の品質を改善することが出来ること。
【００２２】
5、脱酸素剤に起因する鮮度保持の品質トラブル及びそれによる損失を効果的に防止でき、不良品の出荷を避けられるようになること。
【００２３】
6、連続生産が実現できること。
【００２４】
7、酸素濃度表示剤が直接脱酸素剤に付いているため、酸素濃度表示剤のコストダウンが期待できること。
【００２５】
8、脱酸素の性能が良く、インナーフィルム・アウターフィルムの微孔が交錯に分布するため、脱酸素剤はうまく酸素を吸収でき、脱酸素剤の成分が包装袋の外への漏れを防止できること。
【００２６】
9、製造工程が簡単であり、専用の包装設備を必要としないこと。
【００２７】
10、アウターフィルムポリエステル（PET）/未延伸ポリプロピレン（CPP）またはポリエステル（PET）/ポリエチレン（PE）、インナーフィルム未延伸ポリプロピレン（CPP）とポリエチレン（PE）が予め微孔を作っておいた透明なフィルムなので、酸素濃度の表示確認窓を事前に作ることができる。そして、インナーフィルムとアウターフィルムとの間に透気性の不透明な紙若しくは紙とプラスチックとの複合フィルムを入れ、この紙または紙とプラスチックとの複合フィルムの幅をアウターフィルムより小さく抑えることによって、脱酸素剤の縦シールに確認窓用のスペースを作ることが可能となること。
【考案を実施するための最良の形態】
【００２８】
［第１の実施の形態］
本考案の第1の実施形態に係わる酸素濃度表示付きの脱酸素剤を図１、図２に示す。第１の実施の形態に係わる濃度表示付き脱酸素剤は、脱酸素物質1、包装袋2及び酸素濃度表示剤のマークを含んでいる。脱酸素物質1は包装袋2の中に入り、変色信号物質を含む酸素濃度表示剤のマークが入っている表示層3は複数の方法で製造でき、包装袋2に固定できる。
たとえば、第１の方法として、浸漬法によりろ過紙を酸素濃度表示剤に浸漬させて、粘着テープでそれを包装袋2に固定させる方法がある。
第２の方法として、まずろ過紙とポリエチレン（PE）とを複合させてから、酸素表示剤をろ過紙に浸漬させた後、これを予めキャリアを空けておいた透明なポリエステル（PET）金粉/ポリエチレン（PE）フィルムとポリエチレン（PE）/紙/ポリエチレン（PE）フィルムの中間に入れ、ヒートシールによって、酸素の濃度表示確認窓を作る方法がある。
第３の方法として、粘着法によって、不織布またはろ過紙を酸素濃度表示剤に漬け、粘着テープでそれを包装袋2に固定する方法がある。
第４の方法として、粘附法によって、紗糸または粘着テープを酸素濃度表示剤に付けておいて、酸素濃度表示剤テープを形成してから、粘着透明ビニールテープで包装袋に固定する方法がある。
第５の方法として、粘着法によって、先に紗糸を酸素濃度表示剤に付けておいて、この紗糸を特別設計した包装袋の透明な縦シールに封じる方法である。六番目は、酸素濃度表示剤の付いた紗糸を粘着テープで直接包装袋の縦シールに固定する方法である。
【００２９】
脱酸素物質1は、強い脱酸素作用があり、通常では還元鉄粉、無機塩、活性炭、ポリアクリル酸塩類などの吸水力の強い物質と水などからなる。脱酸素物質１が包装袋２に密封され、包装袋２がポリエステル（PET）紙/ポリエチレン（PE）またはOPP/紙/ポリエチレン（PE）または金色または銀色の金属粉印字が付いているポリエステル（PET）/ポリエチレン（PE）とポリエステル（PET）/未延伸ポリプロピレン（CPP）などの複合ビニールで作られる。複合ビニールに予め微孔が作られ、微孔を経由して脱酸素物質１によって酸素は吸収される。酸素の濃度が0.1％以下に低下した場合、包装された物品は脱酸素による鮮度保持の状態になる。包装袋に付いている酸素濃度表示剤を含んでいる表示層は、酸化還元変色物質と表示剤キャリアからなる。酸素濃度表示剤の色は密封された包装袋またはその他の密封容器中の酸素濃度の変化に伴って変わる。たとえば、酸素の濃度が0.1％以下の場合は赤色に、酸素の濃度が0.1%を超えた場合は、青色にそれぞれ変わる。酸素濃度表示剤キャリアは紗糸、綿糸、ろ過紙、不織布または粘着剤を付けたビニールなどから作ることができる。
また、酸素濃度表示剤を直接キャリアに浸漬させるか、または粘着させることもできる。キャリアは包装袋２に固定する。
たとえば、紗糸または粘着透明ビニールで包装袋２に粘着させるか、または金・銀色の金属粉で印字されたポリエステル（PET） /ポリエチレン（PE）フィルム，ポリエステル（PET）/未延伸ポリプロピレン（CPP）フィルムを使って、包装袋の縦シール部を透明にし、表示剤の付いた紗糸をその中に入れる。
または、表示剤紙、紐、紗糸を粘着テープで脱酸素剤の包装フィルムの縦シールに固定する。
または、先にろ過紙とポリエチレン（PE）を複合してから、ろ過紙に酸素表示剤を浸漬した後、できた表示剤キャリアを金・銀粉で印字された透明確認窓のポリエステル（PET）/ポリエチレン（PE）とポリエチレン（PE）/紙/ポリエチレン（PE）の間に入れ、酸素濃度の確認窓を作る。
鮮度保持対象物品にこの酸素濃度表示剤付きの脱酸素剤を使って、鮮度を保持する場合、製造メーカーと消費者は、容器中にある酸素の濃度変化状況を直接見ることができるため、直ちに対象物の鮮度保持効果を確認できるので、脱酸素剤による鮮度保持物品の信頼性と安全性を向上することができる。
【００３０】
［第２の実施の形態］
本考案の第２の実施形態に係わる酸素濃度表示付きの脱酸素剤を図３、図４に示す。第２の実施の形態に係わる濃度表示付き脱酸素剤は、脱酸素物質1、包装袋2と酸素濃度表示剤のマークを含んでいる。脱酸素物質1は包装袋2の中に入っている。そして、酸素濃度表示剤のマークは粘着変色信号物質を含んでいる表示線5である。包装袋2は正面フィルム2−1と後面フィルム2−2をヒートシールして出来る。化繊ファイバーまたは綿糸で作った表示線5は、正面フィルム2−1と後面フィルム2−2との縦方向のシールの間に密封されている。そして、正面フィルム2−1のシールに対応した表示線5に線状の確認窓4が設けられている。もちろん、点線状の確認窓又はその他形状の確認窓を構成することも可能である。
【００３１】
脱酸素物質１は、強い脱酸素作用があり、通常では還元鉄粉、無機塩、活性炭、ポリアクリル酸塩類などの吸水力の強い物質と水などからなり、包装袋２は正面フィルム２−１と後面フィルム２−２の二枚フィルムからなる。正面フィルム２−１はポリエステル（PET）/ポリエチレン（PE）またはポリエステル（PET）/未延伸ポリプロピレン（CPP）またはOPP/未延伸ポリプロピレン（CPP）またはOPP/ポリエチレン（PE）の二重透明ビニールで複合され、後面フィルムは未延伸ポリプロピレン（CPP）/紙/ポリエチレン（PE）/ポリエステル（PET）で複合される。後面フィルムには微孔が設けられているが、必要に応じて、正面フィルムにも微孔を設けても良い。微孔を経由して脱酸素物質により酸素は吸収される。酸素の濃度が0.1％以下に低下した場合、包装された物品は脱酸素による鮮度保持の状態になる。包装袋に付いている酸素濃度表示剤を含んでいる表示層は、酸化還元変色物質と表示剤キャリアからなる。酸素濃度表示剤の色は密封された包装袋またはその他の密封容器中の酸素濃度の変化に伴って変わる。たとえば、酸素の濃度が0.1％以下の場合は赤色に、酸素の濃度が0.1%を超えた場合は、青色にそれぞれ変わる。酸素の濃度表示線は紗糸、綿糸、化繊ファイバーなどで作られ、ヒートシールによって、包装袋に固定される。つまり、シール位置の正面フィルムと反面フィルムの間に固定される。鮮度保持対象物品にこの酸素濃度表示剤付きの脱酸素剤を使って、鮮度を保持する場合、製造メーカーと消費者は、容器中にある酸素の濃度変化状況を直接見ることができるため、直ちに対象物の鮮度保持効果を確認できるので、本脱酸素剤により鮮度保持物品の信頼性と安全性を向上させることができる。
【００３２】
［第３の実施の形態］
本考案の第３の実施形態に係わる酸素濃度表示付きの脱酸素剤を図５、図６に示す。本実施の形態に基づく酸素濃度表示付きの脱酸素剤は、脱酸素物質1と包装袋2を含んでいる。包装袋2の縦シールに酸素濃度の表示線8が設けられ、縦シールと対応した酸素濃度の表示線8の位置に、酸素の濃度表示線で作る確認窓4が設けられている。包装袋2はインナーフィルム6とアウターフィルム7を含む。そして、アウターフィルム7の微孔71とインナーフィルム6の微孔61が交錯的に分布される。酸素濃度の表示線8は酸素濃度表示剤を付けた化繊ファイバーまたは綿糸で作られ、包装袋2の縦シール中に固定される。表示線でできた確認窓4は連続した透明な円形、帯形、楕円形または矩形である。確認窓4によって、酸素の濃度表示線の色を見ることができる。アウターフィルム7は金・銀粉の印字が付いたポリエステル（PET）/未延伸ポリプロピレン（CPP）であり、ポリエステル（PET）/ポリエチレン（PE）インナーフィルム6は未延伸ポリプロピレン（CPP）またはポリエチレン（PE）である。
【００３３】
図6に示されているように、本実施の形態に基づく酸素濃度表示付きの脱酸素剤は、脱酸素物質1と包装袋2を含み、包装袋2の縦シールに酸素濃度の表示線8が付いており、酸素濃度の表示線8と対応した縦シールの箇所に、酸素濃度の表示線8でできた確認窓4が設けられている。包装袋2はアウターフィルム7とインナーフィルム6を含む。そして、アウターフィルム7の微孔71とインナーフィルム6の微孔61は交錯的に分布されている。酸素濃度の表示線8は酸素濃度表示剤を粘着した化繊ファイバーで作られ、包装袋2の縦シールに固定されている。表示線8にできた確認窓4は連続した透明な帯状、矩形または円形であり、この確認窓によって、酸素の濃度表示線の色変化を直接確認できる。アウターフィルム7は金・銀色で印字されたポリエステル（PET）/ポリエチレン（PE）またはポリエステル（PET）/未延伸ポリプロピレン（CPP）で作られ、インナーフィルム6はポリエチレン（PE）と透気性の良い紙またはこの紙と透気性のポリプロピレン（PP）などが複合して形成されたフィルムである。
【００３４】
本考案による脱酸素剤は、脱酸素物質（1）が包装袋（2）の中に入っており、
また酸素の濃度を表示するマークが付いているため、メーカーまたは消費者は直ちに脱酸素剤による鮮度保持の効果を識別確認することができる。
【図面の簡単な説明】
【００３５】
【図１】本考案の第１の実施の形態に係わる、酸素濃度表示付きの脱酸素剤の正面構造を示す図である。
【図２】本考案の第１の実施の形態に係わる、酸素濃度表示付きの脱酸素剤の断面構造を示す図である。
【図３】本考案の第１の実施の形態に係わる、酸素濃度表示付きの脱酸素剤の剖面構造を示す図である。
【図４】本考案の第２の実施の形態に係わる、酸素濃度表示付きの脱酸素剤の断面構造を示す図である。
【図５】本考案の第３の実施の形態に係わる、酸素濃度表示付きの脱酸素剤の正面構造を示す図である。
【図６】本考案の第３の実施の形態に係わる、酸素濃度表示付きの脱酸素剤の透視図を示す図である。
【符号の説明】
【００３６】
1、脱酸素物質                        
2、包装袋
2−1、正面フィルム                   
2−2、後面フィルム
3、表示層                            
5、表示線
6、インナーフィルム                  
7、アウターフィルム
8、酸素濃度の表示線
【図１】
0003122894.tif 000003
【図２】
0003122894.tif 000004
【図３】
0003122894.tif 000005
【図４】
0003122894.tif 000006
【図５】
0003122894.tif 000007
【図６】
0003122894.tif 000008